(57)【要約】  【課題】  線形歪（周波数特性）を補償し且つ簡単な構成で位相を回さないで位相合わせを行う歪補償回路を提供する。  【解決手段】  ＯＦＤＭ信号をＡ／Ｄ変換した第１のデジタル信号を、線形補償器２３と非線形補償器２４を通した後Ｄ／Ａ変換して、後段の電力増幅器４に供給するとともに、電力増幅器からの送信信号の一部をＡ／Ｄ変換した第２のデジタル信号と第１のデジタル信号との差を検出し、検出した差信号に基づき、線形補償器で線形補償を行い、非線形補償器で非線形補償を行う歪補償回路であって、第２のデジタル信号と第１のデジタル信号との差を検出する前に、第２のデジタル信号の位相を位相器２９で第１のデジタル信号の位相に合わせることを特徴とする。【選択図】  図１
2005142693.tif 000002
【特許請求の範囲】
【請求項１】
ＯＦＤＭ信号をＡ／Ｄ変換した第１のデジタル信号を、線形補償器と非線形補償器を通した後Ｄ／Ａ変換して、後段の電力増幅器に供給するとともに、該電力増幅器からの送信信号の一部をＡ／Ｄ変換した第２のデジタル信号と前記第１のデジタル信号との差を検出し、検出した差信号に基づき、前記線形補償器で線形補償を行い、前記非線形補償器で非線形補償を行う歪補償回路であって、前記第２のデジタル信号と前記第１のデジタル信号との差を検出する前に、前記第２のデジタル信号の位相を位相器で前記第１のデジタル信号の位相に合わせることを特徴とする歪補償回路。
【発明の詳細な説明】
【技術分野】
【０００１】
本発明は、電力増幅器で発生した歪を除去するために、電力増幅器の前段に配置する歪補償回路に関する。
【背景技術】
【０００２】
従来のこの種の歪補償回路として、ＯＦＤＭ信号をＡ／Ｄ変換した第１のデジタル信号を、線形補償器と非線形補償器を通した後Ｄ／Ａ変換して、後段の電力増幅器に供給するとともに、該電力増幅器からの送信信号の一部をＡ／Ｄ変換した第２のデジタル信号と前記第１のデジタル信号との差を検出し、検出した差信号に基づき、前記線形補償器で線形補償を行い、前記非線形補償器で非線形補償を行う歪補償回路がある（非特許文献１、特許文献１）。
【０００３】
歪補償回路では、線形歪を含む電力増幅器で生じる歪が左右非対称となるため、うまく補償できない場合があるが、線形歪（周波数特性）を補償する線形補償器を搭載することにより、補償量を稼ぐことができる。
【０００４】
【非特許文献１】映像情報メディア学会技術報告（２００１年６月２２日）Ｖｏｌ．２５，Ｎｏ．４１、ｐ２５−２８、「自動追従型デジタルリニアリティ補償器の開発」
【０００５】
【特許文献１】特開２００２−２３２４９４号公報
【発明の開示】
【発明が解決しようとする課題】
【０００６】
従来の技術では、線形補償器で、線形歪（周波数特性）を補償するが、同時に第２のデジタル信号と第１のデジタル信号との遅延時間を合わせるとともに、第２のデジタル信号と第１のデジタル信号の位相を合わせる。
【０００７】
例えば、第１のデジタル信号の位相が＋１０°で、第２のデジタル信号の位相が０°の場合、線形補償器で位相を＋１０°に制御することにより、第２のデジタル信号の位相を＋１０°にし、以って第１のデジタル信号の位相と第２のデジタル信号の位相を合わせている。
【０００８】
しかしこの場合、位相を回してしまうため、電力増幅器からの送信信号を受信する受信装置においては、送信信号を受信できないという現象が生じる場合がある。
【０００９】
本発明の目的は、線形歪（周波数特性）を補償し且つ簡単な構成で位相を回さないで位相合わせを行う歪補償回路を提供することにある。
【課題を解決するための手段】
【００１０】
本発明は、ＯＦＤＭ信号をＡ／Ｄ変換した第１のデジタル信号を、線形補償器と非線形補償器を通した後Ｄ／Ａ変換して、後段の電力増幅器に供給するとともに、該電力増幅器からの送信信号の一部をＡ／Ｄ変換した第２のデジタル信号と前記第１のデジタル信号との差を検出し、検出した差信号に基づき、前記線形補償器で線形補償を行い、前記非線形補償器で非線形補償を行う歪補償回路であって、前記第２のデジタル信号と前記第１のデジタル信号との差を検出する前に、前記第２のデジタル信号の位相を位相器で前記第１のデジタル信号の位相に合わせることを特徴とする。
【発明の効果】
【００１１】
本発明によれば、線形歪（周波数特性）を補償し且つ簡単な構成で位相を回さないで位相合わせを行う歪補償回路を得る効果を奏する。
【発明を実施するための最良の形態】
【００１２】
本発明に係る実施の形態について、以下、図を用いて説明する。
【００１３】
図１は本発明に係る歪補償回路を有する送信装置の実施の形態のブロック構成を示す図である。図２は図１の一点鎖線で示した部分の一実施例の構成を示す図である。
【００１４】
図１において、ＯＦＤＭ変調器１からのＯＦＤＭ信号は、歪補償回路２に入力される。この入力信号は、Ａ／Ｄ変換器２１で第１のデジタル信号に変換され、直交復調器２２で直交復調される。直交復調された信号は、線形補償器２３と非線形補償器２４を通った後、直交変調器２５で直交変調され、Ｄ／Ａ変換器２６でＤ／Ａ変換され、歪補償回路２の出力信号となる。
【００１５】
歪補償回路２の出力信号は、アップコンバータ３で周波数アップされ、電力増幅器４で電力増幅され、方向性結合器５を介してアンテナ６に供給され、ＯＦＤＭ送信信号として送信される。
【００１６】
電力増幅器４からＯＦＤＭの送信信号は、方向性結合器５により分岐され、分岐された信号はダウンコンタバータ７により元の周波数にダウンされ、歪補償回路２に再び入力される。
【００１７】
周波数ダウンされた信号は、Ａ／Ｄ変換器２７で第２のデジタル信号に変換され、直交復調器２８で直交復調される。直交復調された信号は、本発明の位相器２９を通った後、減算器３０に入力される。
【００１８】
減算器３０のもう一方の入力は、Ａ／Ｄ変換器２１で第１のデジタル信号に変換され直交復調器２２で直交復調された信号が、第１の固定遅延器３１と第２の固定遅延器３２で所定量遅延された信号である。
【００１９】
減算器３０では、この二つの信号が引き算され、すなわち、位相器２９を通った第２のデジタル信号から、第１の固定遅延器３１と第２の固定遅延器３２を通った第１のデジタル信号が減算され、誤差分が出力される。
【００２０】
その誤差分と第１の固定遅延器３１の出力信号よりタップ係数演算回路３３でタップ係数が、またその誤差分と第２の固定遅延器３２の出力信号より歪係数演算回路３４で歪係数が各々計算される。
【００２１】
そして、計算されたタップ係数で線形補償器２３での線形補償を行い、計算された歪係数で非線形補償器２４の非線形補償がされる。
【００２２】
ここで線形補償器２３とタップ係数演算回路３３の一実施例は図２の回路構成であり、図１のＡ／Ｄ変換器２１で変換された方の第１のデジタル信号ａと、Ａ／Ｄ変換器２７で変換された方の第２のデジタル信号ｃの位相、振幅、周波数特性を一致させる回路構成である。
【００２３】
しかし、位相を図２で示した回路で制御させると、図１のアンテナ６から出力される送信信号の位相が回ることとなる。
【００２４】
そこで図２の回路の特に線形補償器２３では位相を回さないように、図１のように、Ａ／Ｄ変換器２７で変換された方の第２のデジタル信号ｃを減算器３０に入力する前に、位相器２９を配置して位相を合わせる。
【００２５】
例えば、第１のデジタル信号の位相が＋１０°で、第２のデジタル信号の位相が０°の場合、位相器２９で第２のデジタル信号の位相を＋１０°にしてから、減算器３０に入力することで、線形補償器２３では位相を回さないですむ。
【００２６】
本実施の形態では、線形歪（周波数特性）を補償し且つ簡単な構成で位相を回さないで位相合わせを行う歪補償回路を得ることができる。
【図面の簡単な説明】
【００２７】
【図１】本発明に係る歪補償回路を有する送信装置の実施の形態のブロック構成を示す図である。
【図２】図１の一点鎖線で示した部分の一実施例の構成を示す図である
【符号の説明】
【００２８】
１：ＯＦＤＭ変調器、２：歪補償回路、３：アップコンバータ、４：電力増幅器、５：方向性結合器、６：アンテナ、７：ダウンコンバータ、２１：Ａ／Ｄ変換器、２２：直交復調器、２３：線形補償器、２４：非線形補償器、２５：直交変調器、２６：Ｄ／Ａ変換器、２７：Ａ／Ｄ変換器、２８：直交復調器、２９：位相器、３０：減算器、３１：第１の固定遅延器、３２：第２の固定遅延器、３３：タップ係数演算回路、３４：歪係数演算回路。
【図１】
2005142693.tif 000003
【図２】
2005142693.tif 000004